(57)【要約】      （修正有）【課題】長時間にわたって洗浄液の排水や交換を行うことなく、洗浄力、殺菌力及び脱臭力を維持できる遊技媒体洗浄液循環装置及び遊技媒体洗浄装置の提供。【解決手段】遊技媒体洗浄室３から排出される洗浄液を貯留する洗浄液貯留槽７と、洗浄液を濾過するフィルター８と、洗浄液貯留槽７内の洗浄液に対して波長が２５０〜２８０ｎｍの紫外線を照射する平板型紫外線照射装置９と、洗浄液を汲み上げて遊技媒体洗浄室３に注入する水中ポンプ１０及びパイプ１１を備えている遊技媒体洗浄液循環装置。紫外線照射装置は洗浄液貯留槽７の内部、洗浄液循環路の内部若しくは外部、洗浄液貯留槽７の蓋の内側に設置しても良い遊技媒体洗浄液循環装置。【選択図】図１
2016101372.tif 000002
【特許請求の範囲】
【請求項１】
遊技媒体洗浄室から排出される洗浄液を貯留する洗浄液貯留槽と、
該洗浄液貯留槽に貯留される洗浄液を汲み上げて前記遊技媒体洗浄室に注入するポンプ及びパイプを備えている遊技媒体洗浄液循環装置において、
前記洗浄液貯留槽又は前記洗浄液循環路内部の洗浄液に対して波長が２５０〜２８０ｎｍの紫外線を照射する紫外線照射装置を備えている
ことを特徴とする遊技媒体洗浄液循環装置。
【請求項２】
前記洗浄液貯留槽又は前記洗浄液循環路の少なくとも一部が透明な材料で形成されており、
前記紫外線照射装置は前記透明な材料で形成されている部分の外側に近接するように設置されている
ことを特徴とする請求項１に記載の遊技媒体洗浄液循環装置。
【請求項３】
前記紫外線照射装置を複数備えるとともに、複数の前記紫外線照射装置は前記洗浄液貯留槽又は前記洗浄液循環路を挟むように設置されている
ことを特徴とする請求項２に記載の遊技媒体洗浄液循環装置。
【請求項４】
前記洗浄液循環路は前記紫外線照射装置が設置されている部分で螺旋状又はジグザグ状に屈曲している
ことを特徴とする請求項２又は３に記載の遊技媒体洗浄液循環装置。
【請求項５】
前記紫外線照射装置は前記洗浄液貯留槽又は前記洗浄液循環路の内部に設置されている
ことを特徴とする請求項１に記載の遊技媒体洗浄液循環装置。
【請求項６】
前記紫外線照射装置を複数備えるとともに、複数の前記紫外線照射装置は前記洗浄液貯留槽又は前記洗浄液循環路の内部に対向するように設置されている
ことを特徴とする請求項５に記載の遊技媒体洗浄液循環装置。
【請求項７】
前記洗浄液貯留槽は開閉可能な蓋を有するとともに、前記紫外線照射装置は前記蓋の内側に設置されている
ことを特徴とする請求項１に記載の遊技媒体洗浄液循環装置。
【請求項８】
前記遊技媒体洗浄室から排出される洗浄液を、前記ポンプによって汲み上げられる前に濾過するフィルターを備えている
ことを特徴とする請求項１ないし７のいずれかに記載の遊技媒体洗浄液循環装置。
【請求項９】
請求項１ないし８のいずれかに記載の遊技媒体洗浄液循環装置と、
遊技場から回収されてきた遊技媒体を蓄積し送り出す遊技媒体フィーダーと、
該遊技媒体フィーダーから送り出された遊技媒体を洗浄する遊技媒体洗浄室と、
該遊技媒体洗浄室で洗浄された遊技媒体を受け入れて脱水する脱水室を備えている
遊技媒体洗浄装置。
【発明の詳細な説明】
【技術分野】
【０００１】
本発明は、遊技媒体を洗浄するための洗浄液に紫外線を照射して殺菌し、殺菌した洗浄液を循環させて遊技媒体の洗浄に供するための遊技媒体洗浄液循環装置及びその遊技媒体洗浄液循環装置を適用した遊技媒体洗浄装置に関するものである。
【背景技術】
【０００２】
スロットマシンやパチンコ機等の遊技機で使用されるメダルやパチンコ玉といった遊技媒体は、遊技機に投入された後、その遊技機から排出され、再び遊技機に供給されるように遊技場の中を循環している。
この遊技媒体の表面には、人の手に触れたり遊技場の中を循環したりする過程において、雑菌や汚れが付着する。
そして、表面に雑菌や汚れが付着した遊技媒体の洗浄を怠ると、遊技媒体を介して遊技者や店員に雑菌や汚れが付着して不衛生であり、ひどい場合には遊技媒体から異臭が発生することもある。
【０００３】
そこで、遊技場の中を循環させる過程で遊技媒体を洗浄する各種の遊技用メダル洗浄装置が開発されている。
例えば、特許文献１（特開平９−２４１５５号公報）には、図６に示すように、遊技機に投入された遊技媒体を、回収ボックスから分岐回収管、回収パイプ及び減速ユニットを経由して洗浄機に送り込み、還元水で洗浄した後乾燥し、タンクに貯留し、必要に応じて供給パイプを通して各遊技機へと供給する遊技媒体の集配洗浄装置が記載されている。
また、特許文献２（特開２００１−１７０４１５号公報、特に段落００４８及び図１３を参照）には、洗浄液貯溜槽(47)にメダル収納タンク(57)から汚れたメダルを通過させることによってメダルに付着した汚れを取る遊技用メダルの洗浄装置に設置される、汚れを含む洗浄液を濾過タンク(29)に導いて汚れを取り除き再度洗浄液貯溜槽(47)へ還流させる遊技用メダル洗浄液の濾過装置が記載されている。
さらに、特許文献３（特開２００８−１６７８０９号公報、特に段落００２９を参照）には、洗浄ユニット(103)に、コインの両面を洗浄液で洗浄する洗浄装置及び紫外線を照射して殺菌する殺菌装置等を設けることが記載され、特許文献４（特許第４７５５８４８号公報、特に段落００４３〜００４５を参照）には、無端布ベルト(11a,11b)に光触媒が固定され、紫外光源(40)を両無端布ベルトに近接して配備したメダル洗浄装置が記載されている。
【先行技術文献】
【特許文献】
【０００４】
【特許文献１】特開平９−２４１５５号公報
【特許文献２】特開２００１−１７０４１５号公報
【特許文献３】特開２００８−１６７８０９号公報
【特許文献４】特許第４７５５８４８号公報
【発明の概要】
【発明が解決しようとする課題】
【０００５】
しかし、特許文献１記載の技術は、遊技媒体を洗浄する洗浄液を排水する必要があり、遊技場内に排水設備を設けなければならない。
また、特許文献２に記載されている遊技用メダル洗浄液の濾過装置は、汚れを含む洗浄液を濾過タンク(29)に導いて汚れを取り除き再度洗浄液貯溜槽(47)へ還流させてはいるものの、専用の遊技用メダル洗浄液を用いているため洗浄液購入費が発生する（洗浄機１台あたり薬剤費８〜１０万円／年、濾材・吸水材費２〜５万円／年）。
さらに、洗浄液の濾過には限度があるので、洗浄液の追加や濾過装置の交換にかかる労務費が発生し、洗浄液の交換時期が不定期の場合、雑菌の繁殖、ぬめり、異臭、洗浄液循環経路や吸水ローラー等への汚れの付着蓄積といった問題も発生する。
そして、特許文献３及び４に記載されているメダル洗浄装置は、メダルや無端布ベルトに紫外線を照射して殺菌するものであり、洗浄液に紫外線を照射して殺菌するものではないため、洗浄液を排水したり、頻繁に取り替えたりする必要があり、それらを行わない場合、雑菌の繁殖、ぬめり、異臭、洗浄液循環経路や吸水ローラー等への汚れの付着蓄積といった問題が発生する。さらに、メダルに直接紫外線を照射する場合、各メダルの全面に紫外線を照射しようとすればメダルの姿勢を制御する複雑な装置が必要となり、無端布ベルトに紫外線を照射する場合、無端布ベルトを殺菌することはできてもメダルに付着した菌をきれいに除去することは困難である。
【０００６】
本発明は、これらの課題を解消するために、長時間にわたって洗浄液の排水や交換を行うことなく、洗浄力、殺菌力及び脱臭力を維持できる遊技媒体洗浄液循環装置及び遊技媒体洗浄装置の提供を目的としてなされたものである。
【課題を解決するための手段】
【０００７】
請求項１に係る発明の遊技媒体洗浄液循環装置は、遊技媒体洗浄室から排出される洗浄液を貯留する洗浄液貯留槽と、該洗浄液貯留槽に貯留される洗浄液を汲み上げて前記遊技媒体洗浄室に注入するポンプ及び洗浄液循環路を備えている遊技媒体洗浄液循環装置において、前記洗浄液貯留槽又は前記洗浄液循環路内部の洗浄液に対して波長が２５０〜２８０ｎｍの紫外線を照射する紫外線照射装置を備えていることを特徴とする。
【０００８】
請求項２に係る発明の遊技媒体洗浄液循環装置は、請求項１に記載の遊技媒体洗浄液循環装置において、前記洗浄液貯留槽又は前記洗浄液循環路の少なくとも一部が透明な材料で形成されており、前記紫外線照射装置は前記透明な材料で形成されている部分の外側に近接するように設置されていることを特徴とする。
【０００９】
請求項３に係る発明の遊技媒体洗浄液循環装置は、請求項２に記載の遊技媒体洗浄液循環装置において、前記紫外線照射装置を複数備えるとともに、複数の前記紫外線照射装置は前記洗浄液貯留槽又は前記洗浄液循環路を挟むように設置されていることを特徴とする。
【００１０】
請求項４に係る発明の遊技媒体洗浄液循環装置は、請求項２又は３に記載の遊技媒体洗浄液循環装置において、前記洗浄液循環路は前記紫外線照射装置が設置されている部分で螺旋状又はジグザグ状に屈曲していることを特徴とする。
【００１１】
請求項５に係る発明の遊技媒体洗浄液循環装置は、請求項１に記載の遊技媒体洗浄液循環装置において、前記紫外線照射装置は前記洗浄液貯留槽又は前記洗浄液循環路の内部に設置されていることを特徴とする。
【００１２】
請求項６に係る発明の遊技媒体洗浄液循環装置は、請求項５に記載の遊技媒体洗浄液循環装置において、前記紫外線照射装置を複数備えるとともに、複数の前記紫外線照射装置は前記洗浄液貯留槽又は前記洗浄液循環路の内部に対向するように設置されていることを特徴とする。
【００１３】
請求項７に係る発明の遊技媒体洗浄液循環装置は、請求項１に記載の遊技媒体洗浄液循環装置において、前記洗浄液貯留槽は開閉可能な蓋を有するとともに、前記紫外線照射装置は前記蓋の内側に設置されていることを特徴とする。
【００１４】
請求項８に係る発明の遊技媒体洗浄液循環装置は、請求項１ないし７のいずれかに記載の遊技媒体洗浄液循環装置において、前記遊技媒体洗浄室から排出された洗浄液を、前記ポンプによって汲み上げられる前に濾過するフィルターを備えていることを特徴とする。
【００１５】
請求項９に係る発明の遊技媒体洗浄装置は、請求項１ないし８のいずれかに記載の遊技媒体洗浄液循環装置と、遊技場から回収されてきた遊技媒体を蓄積し送り出す遊技媒体フィーダーと、該遊技媒体フィーダーから送り出された遊技媒体を洗浄する遊技媒体洗浄室と、該遊技媒体洗浄室で洗浄された遊技媒体を受け入れて脱水する脱水室を備えていることを特徴とする。
【発明の効果】
【００１６】
請求項１に係る発明の遊技媒体洗浄液循環装置又は該遊技媒体洗浄液循環装置を含む請求項９に係る発明の遊技媒体洗浄装置によれば、遊技媒体を洗浄するために遊技媒体洗浄室に注入された後に遊技媒体洗浄室から排出され、洗浄液貯留槽に貯留され、ポンプ及び洗浄液循環路によって再び遊技媒体洗浄室に注入される洗浄液に対して、波長が２５０〜２８０ｎｍの紫外線を照射する紫外線照射装置を備えているので、長時間にわたって洗浄液の排水や交換を行うことなく、洗浄力、殺菌力及び脱臭力を維持できる。
そのため、遊技場内に洗浄液の排水設備を設けることなく、遊技媒体洗浄液循環装置又は該遊技媒体洗浄液循環装置を含む遊技媒体洗浄装置を稼働することができる。
また、洗浄液としては界面活性剤や防腐剤等の薬剤を使用することなく通常の水を用いることもでき、そうした場合には薬剤費や薬剤注入の労務費が発生せず、注入する場合でも薬剤の量や注入頻度を抑えることができるので、長時間にわたって低いランニングコストで遊技媒体を清浄に保つことができる。
【００１７】
請求項２に係る発明の遊技媒体洗浄液循環装置又は該遊技媒体洗浄液循環装置を含む請求項９に係る発明の遊技媒体洗浄装置によれば、請求項１に係る発明による効果に加え、紫外線照射装置を透明な材料で形成されている部分の外側に近接するように設置するだけで済み、紫外線照射装置に防水機能を持たせる必要がなくなり、設置作業や交換作業を容易に行うことができる。
また、洗浄液循環路の少なくとも一部を透明な材料で形成し、紫外線照射装置を透明な材料で形成されている部分の外側に近接するように設置する場合、従来設置されている遊技媒体洗浄液循環装置の洗浄液循環路を利用しながら、透明な材料で形成した洗浄液循環路を挿入して紫外線照射装置を追加的に設置できる。
【００１８】
請求項３に係る発明の遊技媒体洗浄液循環装置又は該遊技媒体洗浄液循環装置を含む請求項９に係る発明の遊技媒体洗浄装置によれば、請求項２に係る発明の効果に加え、複数の紫外線照射装置が洗浄液貯留槽又は洗浄液循環路を挟むように設置されているので、比較的小さい出力の紫外線照射装置によって洗浄液を殺菌することができる。
【００１９】
請求項４に係る発明の遊技媒体洗浄液循環装置又は該遊技媒体洗浄液循環装置を含む請求項９に係る発明の遊技媒体洗浄装置によれば、請求項２又は３に係る発明の効果に加え、洗浄液循環路が紫外線照射装置の設置されている部分で螺旋状又はジグザグ状に屈曲しているので、洗浄液循環路内を流れる洗浄液に対して長い間紫外線を照射することができる。
そのため、紫外線照射装置の出力が小さくても洗浄液を殺菌することができ、紫外線照射装置の出力が大きければ、洗浄液循環路内を流れる洗浄液の流速を上げることができる。
【００２０】
請求項５に係る発明の遊技媒体洗浄液循環装置又は該遊技媒体洗浄液循環装置を含む請求項９に係る発明の遊技媒体洗浄装置によれば、請求項１に係る発明の効果に加え、紫外線照射装置が洗浄液貯留槽又は洗浄液循環路の内部に設置されているので、従来設置されている遊技媒体洗浄液循環装置の洗浄液貯留槽及び洗浄液循環路を利用しながら、紫外線照射装置を追加的に設置できる。
そのため、短時間の作業によって安価に本発明に係る装置を導入することができる。
【００２１】
請求項６に係る発明の遊技媒体洗浄液循環装置又は該遊技媒体洗浄液循環装置を含む請求項９に係る発明の遊技媒体洗浄装置によれば、請求項５に係る発明の効果に加え、複数の紫外線照射装置が洗浄液貯留槽又は洗浄液循環路の内部に対向するように設置されているので、比較的小さい出力の紫外線照射装置によって洗浄液を殺菌することができる。
【００２２】
請求項７に係る発明の遊技媒体洗浄液循環装置又は該遊技媒体洗浄液循環装置を含む請求項９に係る発明の遊技媒体洗浄装置によれば、請求項１に係る発明の効果に加え、洗浄液貯留槽が開閉可能な蓋を有するとともに、紫外線照射装置は蓋の内側に設置されているので、遊技媒体洗浄液循環装置又は遊技媒体洗浄装置が稼働しているときに紫外線が外部に漏れることがない。
【００２３】
請求項８に係る発明の遊技媒体洗浄液循環装置又は該遊技媒体洗浄液循環装置を含む請求項９に係る発明の遊技媒体洗浄装置によれば、請求項１ないし７のいずれかに係る発明の効果に加え、洗浄液がポンプによって汲み上げられる前にフィルターで濾過されるようになっているので、より長時間にわたって洗浄液及び遊技媒体を清浄に保つことができる。
【図面の簡単な説明】
【００２４】
【図１】実施例１に係る遊技媒体洗浄装置の斜視図。
【図２】実施例１の紫外線照射装置を洗浄液貯留槽に取り付ける様子を示す図。
【図３】実施例１の紫外線照射装置の断面図。
【図４】実施例２に係る洗浄液貯留槽付近の斜視図。
【図５】実施例３に係る洗浄液貯留槽付近の斜視図。
【図６】特許文献１に記載されている遊技媒体の集配洗浄装置を示す図。
【発明を実施するための形態】
【００２５】
以下、実施例１〜３によって本発明の実施形態を説明する。
【実施例１】
【００２６】
図１は、実施例１に係る遊技媒体洗浄装置の斜視図である。
なお、脱水室５は洗浄液貯留槽７等と重なる位置にあるので、見やすくするために上方に移動させて描いてある。
実施例１の遊技媒体洗浄装置は、遊技場から回収されてきたメダル（遊技媒体）を蓄積して適宜の枚数を送り出す遊技媒体フィーダー１と、遊技媒体フィーダー１から送り出されたメダルを滑らせて遊技媒体洗浄室３に投入する遊技媒体投入ダクト２と、投入されたメダルを散水装置４から注入される洗浄液によって洗浄する遊技媒体洗浄室３と、遊技媒体洗浄室３で洗浄されたメダルを受け入れて脱水する脱水室５と、遊技媒体洗浄室３から排液ダクト６を介して排出されるメダル洗浄後の洗浄液を貯留する洗浄液貯留槽７と、洗浄液貯留槽７に貯留される洗浄液を濾過するフィルター８と、洗浄液貯留槽７に貯留される洗浄液に対して波長が２５０〜２８０ｎｍの紫外線を照射する平板型紫外線照射装置９（洗浄液貯留槽７の対向する外側面に２つずつ設置）と、洗浄液貯留槽７の内部であって濾過された洗浄液を貯留する側に設置される水中ポンプ１０と、水中ポンプ１０と散水装置４とをつなぎ送り出された洗浄液を散水装置４に向けて導くパイプ１１を備えている。
【００２７】
脱水室５は、４本の吸水ローラー１２と、ベルトコンベア１３と、遊技媒体洗浄室３で洗浄されたメダルを上下の吸水ローラー１２の間に送り込む傾斜路１４を備えている。
そして、洗浄後のメダルを上下の吸水ローラー１２で挟んで送り出しながら表面に付着している洗浄液を吸収し、ベルトコンベア１３の上でメダルを乾かしながら各遊技機にメダルを供給するメダル供給装置へ移送するようになっている。
【００２８】
洗浄液貯留槽７は、遊技媒体洗浄室３の下部に設けられている排液ダクト６の下に設けられている箱体であり、長方形のフィルター８で仕切られている。
箱体の内側面にはフィルター８を支持するための切り込み又はコの字状の支持部材を対向させて設け、上方からフィルター８を抜き差しして容易に交換できるようにしている。
【００２９】
水中ポンプ１０は、上面から電源線１５及び接地線１６が延びており、それぞれの先端部には電源端子及びアース端子と電気的に接続するためのコンセント１７及び接続端子１８が取り付けられている。
【００３０】
図２は、実施例１の平板型紫外線照射装置９を洗浄液貯留槽７に取り付ける様子を示す図であり、図３は、実施例１の平板型紫外線照射装置９の断面図である。
図２に示すとおり、実施例１の洗浄液貯留槽７には、一方の側面に円形孔１９とその周囲に４つのネジ穴２０が２組設けられており、さらに図示してはいないが、一方の側面に対向する他方の側面にも同様に円形孔と４つのネジ穴が２組設けられている。
また、図２、３に示すとおり、実施例１の平板型紫外線照射装置９は、Ｏリング２１、ＵＶモジュール２２、ゴム板２３、押え板２４及びネジ２５等からなっており、平板型紫外線照射装置９を洗浄液貯留槽７に取り付ける際には、Ｏリング２１をＵＶモジュール２２の中央に突出している発光部２６の周囲にセットした後、発光部２６を円形孔１９に差し込み、ＵＶモジュール２２の背面側にゴム板２３（絶縁用）と押え板２４を重ねた上で、４本のネジ２５をネジ穴２０にねじ込んで固定する。
なお、発光部２６には、波長が２５４ｎｍの紫外光を効率良く発光する低圧水銀ランプや波長が２６０ｎｍ前後の紫外光を効率良く発光するＬＥＤが好適に利用される。
さらに、図示してはいないが、４つの平板型紫外線照射装置９及び水中ポンプ１０は電力を供給するためのコントローラに接続されており、コントローラに組み込まれた制御プログラムや係員の操作に応じて、オンオフやパワーを制御できるようになっている。
【００３１】
実施例１の遊技媒体洗浄装置を使用する際には、以下の手順で行う。
（１）洗浄液貯留槽７に洗浄液を注入する。
（２）水中ポンプ１０を作動させ、洗浄液貯留槽７内の洗浄液をパイプ１１に送り出し、散水装置４から遊技媒体洗浄室３に注入する。
（３）遊技媒体フィーダー１から送り出され、遊技媒体洗浄室３に投入されたメダルを洗浄液によって洗浄する。
（４）洗浄液によって洗浄したメダルを上下の吸水ローラー１２の間に送り込み表面に付着している洗浄液を吸収した後、ベルトコンベア１３の上に送り出してメダルを乾かしながらメダル供給装置へ移送する。
（５）メダルを洗浄した洗浄液を排液ダクト６から排出し洗浄液貯留槽７に貯留する。
（６）洗浄液貯留槽７に貯留された洗浄液を、フィルター８で濾過した後、水中ポンプ１０で再びパイプ１１に送り出し、散水装置４から遊技媒体洗浄室３に注入する。
（７）必要に応じて平板型紫外線照射装置９を作動させ、洗浄液貯留槽７に貯留されている洗浄液に対し、波長が２５０〜２８０ｎｍの紫外線を照射して洗浄液を殺菌する。
上記（３）〜（７）の手順を繰り返して、メダルを洗浄液によって洗浄し、洗浄したメダルを乾かすとともに、洗浄液を遊技媒体洗浄装置内で循環させる。
ここで、平板型紫外線照射装置９は遊技場が営業している間、連続的に作動させる必要はなく、遊技媒体の流通量にもよるが、１時間オン・１時間オフ作動を繰り返すことで、通常は洗浄液のＡＴＰ値を１００以下に保つことができる（洗浄液として水道水を用いるとともに、毎朝洗浄液を交換した場合）。
また、洗浄液として水道水を用いるとともに、３日に一回洗浄液を交換した場合でも、平板型紫外線照射装置９を１時間オン・１時間オフ作動を繰り返すことで、通常は洗浄液のＡＴＰ値を３００以下に保つことができる。
なお、洗浄液としては水道水に少量の薬剤を加えたものを用いてもよく、平板型紫外線照射装置９は、１時間オン・１時間オフ作動を繰り返すのに代えて、次のａ．〜ｃ．に示す作動態様としても良い。
ａ．Ｔ１時間オン・Ｔ２時間オフ作動。（Ｔ１、Ｔ２は任意に設定可能）
ｂ．洗浄液の状態がメダル洗浄に適さなくなった時から所定時間継続して作動。
ｃ．作動停止後に洗浄したメダルの数が所定数に達した時から所定時間継続して作動。
【実施例２】
【００３２】
図４は、実施例２に係る洗浄液貯留槽付近の斜視図である。
実施例２の遊技媒体洗浄装置は、洗浄液貯留槽付近の構成が異なる以外は実施例１の遊技媒体洗浄装置と同様の構成となっている。
そのため、図４は洗浄液貯留槽２７付近のみの斜視図としてあり、実施例１と同じ構成に対しては図１、２と同じ番号が付してある。
【００３３】
実施例２の遊技媒体洗浄装置における洗浄液貯留槽２７付近の構成について説明すると、水中ポンプ１０から接続パイプ２８を介して洗浄液が送り込まれるＵＶボックス２９と、ＵＶボックス２９に送り込まれた洗浄液に対して波長が２５０〜２８０ｎｍの紫外線を照射して洗浄液を殺菌する円筒型紫外線照射装置３０と、ＵＶボックス２９と散水装置４とをつなぎ送り出された洗浄液を散水装置４に向けて導くパイプ３１を備えている点が実施例１との相違点である。
ＵＶボックス２９の一側面には２つの引っ掛け部材３２が設けてあり、洗浄液貯留槽２７の上縁に引っ掛けてＵＶボックス２９を洗浄液貯留槽２７の外側面に容易に設置できるようにしてある。
また、円筒型紫外線照射装置３０の一端側からは電源線３３が延びており、その先端部には電源端子と電気的に接続するためのコンセント３４が取り付けられている。
なお、図示してはいないが、実施例１と同様、円筒型紫外線照射装置３０及び水中ポンプ１０は電力を供給するためのコントローラに接続されており、コントローラに組み込まれた制御プログラムや係員の操作に応じて、オンオフやパワーを制御できるようになっている。
【００３４】
実施例２の遊技媒体洗浄装置を使用する際には、以下の手順で行う。
（１）洗浄液貯留槽２７に洗浄液を注入する。
（２）水中ポンプ１０を作動させ、洗浄液貯留槽２７内の洗浄液を接続パイプ２８に送り出し、ＵＶボックス２９及びパイプ３１の内部を通過させて散水装置４から遊技媒体洗浄室３に注入する。
（３）遊技媒体フィーダー１から送り出され、遊技媒体洗浄室３に投入されたメダルを洗浄液によって洗浄する。
（４）洗浄液によって洗浄したメダルを上下の吸水ローラー１２の間に送り込み表面に付着している洗浄液を吸収した後、ベルトコンベア１３の上に送り出してメダルを乾かしながらメダル供給装置へ移送する。
（５）メダルを洗浄した洗浄液を排液ダクト６から排出し洗浄液貯留槽２７に貯留する。
（６）洗浄液貯留槽２７に貯留された洗浄液を、フィルター８で濾過した後、水中ポンプ１０で再びパイプ２８に送り出し、散水装置４から遊技媒体洗浄室３に注入する。
（７）必要に応じて円筒型紫外線照射装置３０を作動させ、ＵＶボックス２９を通過中の洗浄液に対し、波長が２５０〜２８０ｎｍの紫外線を照射して洗浄液を殺菌する。
上記（３）〜（７）の手順を繰り返して、メダルを洗浄液によって洗浄し、洗浄したメダルを乾かすとともに、洗浄液を遊技媒体洗浄装置内で循環させる。
なお、円筒型紫外線照射装置３０の作動態様は、実施例１の平板型紫外線照射装置９の作動態様と同様である。
【実施例３】
【００３５】
図５は、実施例３に係る洗浄液貯留槽付近の斜視図である。
実施例３の遊技媒体洗浄装置は、洗浄液貯留槽付近の構成が異なる以外は実施例１の遊技媒体洗浄装置と同様の構成となっている。
そのため、図５は洗浄液貯留槽３５付近のみの斜視図としてあり、実施例１と同じ構成に対しては図１、２と同じ番号が付してある。
【００３６】
実施例３の遊技媒体洗浄装置における洗浄液貯留槽３５付近の構成について説明すると、洗浄液貯留槽３５の上に被せたり外したりすることができる蓋３６と、蓋３６の上部の内側に設置され洗浄液貯留槽３５に貯留されている洗浄液に対して波長が２５０〜２８０ｎｍの紫外線を照射して洗浄液を殺菌するロッド型紫外線照射装置３７を備えている点が実施例１との相違点である。
蓋３６の上部の外側には持ち上げ易くするための取っ手３８が取り付けてあり、蓋３６の下縁付近には、廃液ダクト６から流れてくる洗浄液を受け入れる開口（図示せず）、パイプ１１を通すための穴３９並びに電源線１５及び接地線１６を通すための穴４０が設けてある。
さらに、蓋３６の対向する側面の下縁の外側にはセンサ部４１が設けてある。このセンサ部４１は、蓋３６を被せた時に洗浄液貯留槽３５の外側面に設けてあるスイッチドッグ４２を検知することでロッド型紫外線照射装置３７を作動可能とするためのものであり、蓋３６が外れた時にはロッド型紫外線照射装置３７が作動しないので安全性が向上する。
センサ部４１に用いるセンサとしては、フォトセンサやマイクロスイッチが好適に利用されるが、スイッチドッグ４２を検知できるものであればどのようなものでも良い。
なお、図示してはいないが、実施例１と同様、ロッド型紫外線照射装置３７及び水中ポンプ１０は電力を供給するためのコントローラに接続されており、加えてセンサ部４１の信号端子４３もコントローラに接続され、コントローラに組み込まれた制御プログラム、係員の操作及びセンサ部４１からの信号に応じて、オンオフやパワーを制御できるようになっている。
【００３７】
実施例３の遊技媒体洗浄装置を使用する際には、以下の手順で行う。
（１）洗浄液貯留槽３５に洗浄液を注入し、蓋３６を被せる。
（２）水中ポンプ１０を作動させ、洗浄液貯留槽３５内の洗浄液をパイプ１１に送り出し、散水装置４から遊技媒体洗浄室３に注入する。
（３）遊技媒体フィーダー１から送り出され、遊技媒体洗浄室３に投入されたメダルを洗浄液によって洗浄する。
（４）洗浄液によって洗浄したメダルを上下の吸水ローラー１２の間に送り込み表面に付着している洗浄液を吸収した後、ベルトコンベア１３の上に送り出してメダルを乾かしながらメダル供給装置へ移送する。
（５）メダルを洗浄した洗浄液を排液ダクト６から排出し洗浄液貯留槽３５に貯留する。
（６）洗浄液貯留槽３５に貯留された洗浄液を、フィルター８で濾過した後、水中ポンプ１０で再びパイプ１１に送り出し、散水装置４から遊技媒体洗浄室３に注入する。
（７）必要に応じてロッド型紫外線照射装置３７を作動させ、洗浄液貯留槽３５に貯留されている洗浄液に対し、波長が２５０〜２８０ｎｍの紫外線を照射して洗浄液を殺菌する。
上記（３）〜（７）の手順を繰り返して、メダルを洗浄液によって洗浄し、洗浄したメダルを乾かすとともに、洗浄液を遊技媒体洗浄装置内で循環させる。
なお、ロッド型紫外線照射装置３７の作動態様は、実施例１の平板型紫外線照射装置９の作動態様と同様である。
【００３８】
実施例１〜３の遊技媒体洗浄装置に関する変形例を列記する。
（１）実施例１〜３は、遊技媒体フィーダー１、遊技媒体投入ダクト２、遊技媒体洗浄室３及び脱水室５を備える遊技媒体洗浄装置であるが、遊技媒体フィーダー１、遊技媒体投入ダクト２、遊技媒体洗浄室３及び脱水室５については既存の装置を利用することとし、遊技媒体洗浄室からの排液を貯留することができる洗浄液貯留槽７、２７又は３５と、洗浄液貯留槽７、２７又は３５に貯留される洗浄液を汲み上げて遊技媒体洗浄室３に注入するポンプ１０及びパイプ１１若しくはＵＶボックス２９等を備えるとともに、洗浄液貯留槽７、３５又はＵＶボックス２９内部の洗浄液に対して紫外線を照射する紫外線照射装置を備えている遊技媒体洗浄液循環装置としても良い。
（２）実施例１〜３の遊技媒体洗浄装置は全て固定式であるが、遊技媒体フィーダー１、遊技媒体投入ダクト２、遊技媒体洗浄室３、脱水室５、排液ダクト６及び洗浄液貯留槽７、２７又は３５をユニット化し、移動用の車輪を設けたフレーム上に設置することで適宜移動できるようにしても良い。
（３）実施例１〜３は、洗浄液貯留槽７、２７及び３５が洗浄液を濾過する長方形のフィルター８で仕切られているが、このフィルター８は設置されていなくても各紫外線照射装置９、３０及び３７の殺菌力に大きな影響を及ぼすことはなく、遊技媒体洗浄装置の稼働に格別の影響はない。
また、洗浄液を濾過するフィルターを設置する場合、遊技媒体洗浄室３の洗浄液排出口から水中ポンプ１０の洗浄液吸い込み口までの洗浄液流路中の何処かに配置すれば良く、１箇所に限らず複数箇所に配置しても良い。
そして、複数箇所に設置する場合には、排液ダクト６側を安価な粗めのフィルター、水中ポンプ１０側を高価な細かいフィルターとすれば、高価なフィルターの交換頻度を小さくできるので、ランニングコストを下げることができる。
（４）実施例１〜３の洗浄液貯留槽７、２７又は３５の内部は、フィルター８で２つに仕切られているだけであるが、洗浄液の流路を形成するための仕切りを設け、流路の最下流に水中ポンプ１０を設置すれば、より効率的に洗浄液を殺菌することができる。
（５）実施例１〜３においては、水中ポンプ１０を洗浄液貯留槽７、２７又は３５の内部に設置して洗浄液を送り出すようにしているが、通常のポンプを洗浄液貯留槽７、２７又は３５の外に設置し、洗浄液吸い込みパイプを洗浄液貯留槽７、２７又は３５の内部に延ばして洗浄液を吸い上げ散水装置４へ送り出すようにしても良い。
（６）実施例１〜３の脱水室５は、４本の吸水ローラー１２と、ベルトコンベア１３と、遊技媒体洗浄室３で洗浄されたメダルを上下の吸水ローラー１２の間に送り込む傾斜路１４を備えているが、遊技媒体洗浄室３で洗浄されたメダルをメダル供給装置へ移送しながら乾かせるものであればどのようなものであっても良い。
（７）実施例１、２の洗浄液貯留槽７及び２７は、その上面が開いているが蓋を設けても良く、特に実施例１の場合、稼働中に紫外線が係員等の目に入らないようにするため蓋を設けた方が良い。
そして、実施例１の洗浄液貯留槽７に蓋を設ける場合には、実施例３と同様、蓋の開閉を検知して蓋が閉まっている時のみに紫外線照射装置９が作動できるようにした方が良い。
また、蓋を設ける場合、廃液ダクト６から流れてくる洗浄液を受け入れる開口、パイプ１１、３１及び接続パイプ２８を通すための穴並びに電源線１５及び接地線１６を通すための穴を設けることは当然であり、蓋の全部又は一部を透明として、フィルター８や洗浄液貯留槽７、２７又は３５の様子を観察できるようにした方が良い。
なお、実施例１又は３において蓋の全部又は一部を透明とする場合、紫外線が係員等の目に入らないようにするため、透明部分を少なくとも紫外線をカットし可視光線の一部を通過させる材料とする必要がある。
（８）実施例１の洗浄液貯留槽７には円形孔１９が設けられ、Ｏリング２１、ＵＶモジュール２２、ゴム板２３、押え板２４及びネジ２５等からなる平板型紫外線照射装置９を円形孔１９に発光部２６を差し込んでネジ２５で固定して洗浄液が漏れ出さないようにしているが、円形孔１９を少なくとも紫外線が透過する透明な材料で漏水しないように塞いでおけば、Ｏリング２１を用いることなく、発光部２６を簡易な方法でその透明な材料に近接するように固定するだけで良くなる。
そうした場合、紫外線照射装置９に防水機能を持たせる必要がなくなり、設置や交換の際に洗浄液貯留槽７の内部に洗浄液が貯留されていても良いので、設置作業や交換作業を容易に行うことができる。
（９）実施例１においては、４つの平板型紫外線照射装置９が洗浄液貯留槽７を挟むように設置されているが、平板型紫外線照射装置９は片側だけに設置しても良いし、照射光量の大きな照射装置であれば１箇所だけに設置しても良い。
（１０）実施例１においては、平板型紫外線照射装置９を洗浄液貯留槽７の外側に取り付けているが、実施例２における円筒型紫外線照射装置３０のような水密型紫外線照射装置を洗浄液貯留槽７の内部に一つ又は複数個設置しても良い。
（１１）実施例２においては、接続パイプ２８、ＵＶボックス２９、パイプ３１で洗浄液循環路を構成するとともに、ＵＶボックス２９の中央部に円筒型紫外線照射装置３０を配置し、ＵＶボックス２９内部を流れていく洗浄液に紫外線を照射して殺菌するようにしているが、紫外線照射装置をＵＶボックス２９の内壁に配置しても良い。
また、複数の紫外線照射装置を内壁の両側に対向させて配置すれば、比較的小さい出力の紫外線照射装置を用いても洗浄液を十分に殺菌することができる。
（１２）実施例２においては、接続パイプ２８、ＵＶボックス２９、パイプ３１で洗浄液循環路を構成するとともに、ＵＶボックス２９の内部に円筒型紫外線照射装置３０を配置し、ＵＶボックス２９内部を流れていく洗浄液に紫外線を照射して殺菌するようにしているが、パイプ１１で洗浄液循環路を構成するとともに、パイプ１１の一部を紫外線が透過する透明な材料とし、紫外線照射装置をその透明な材料の外側に近接させて配置することで、パイプ１１の内部を流れる洗浄液に紫外線を照射して殺菌するようにしても良い。
さらに、透明な材料で形成した部分を螺旋状又はジグザグ状に屈曲させれば、透明な材料の流路を長くすることができるので、紫外線照射装置の出力が小さくても洗浄液を十分に殺菌することができ、紫外線照射装置の出力が大きければ、洗浄液循環路内を流れる洗浄液の流速を上げることができる。
また、透明な材料で形成した部分を挟むように配置すると上記変形例（１１）と同様、比較的小さい出力の紫外線照射装置を用いても洗浄液を十分に殺菌することができる。
【符号の説明】
【００３９】
１  遊技媒体フィーダー      ２  遊技媒体投入ダクト
３  遊技媒体洗浄室      ４  散水装置      ５  脱水室
６  排液ダクト      ７  洗浄液貯留槽      ８  フィルター
９  平板型紫外線照射装置      １０  水中ポンプ      １１  パイプ
１２  吸水ローラー      １３  ベルトコンベア      １４  傾斜路
１５  電源線      １６  接地線      １７  コンセント
１８  接続端子      １９  円形孔      ２０  ネジ穴
２１  Ｏリング      ２２  ＵＶモジュール      ２３  ゴム板
２４  押え板      ２５  ネジ      ２６  発光部
２７  洗浄液貯留槽      ２８  接続パイプ      ２９  ＵＶボックス
３０  円筒型紫外線照射装置      ３１  パイプ
３２  引っ掛け部材      ３３  電源線      ３４  コンセント
３５  洗浄液貯留槽      ３６  蓋      ３７  ロッド型紫外線照射装置
３８  取っ手      ３９、４０  穴      ４１  センサ部
４２  スイッチドッグ      ４３  信号端子
【図１】
2016101372.tif 000003
【図２】
2016101372.tif 000004
【図３】
2016101372.tif 000005
【図４】
2016101372.tif 000006
【図５】
2016101372.tif 000007
【図６】
2016101372.tif 000008